(57)【要約】【課題】  箱体の４つの側壁をそれぞれ二重にして側壁の強度等を高め、しかもその箱の蓋までをも、本体を形成する一枚の素材で作ることのできるようにした平板状箱体素材を得ること【解決手段】  一枚の厚めの紙類の形状を、底面フラップ１の左縁に左外側壁フラップ２を連接するとともにその左縁に左内側壁フラップ３を連接し、底面フラップ１の上縁に上外側壁フラップ４を連接するとともにその上縁に上内側壁フラップ５を連接し、底面フラップ１の右縁に右外側壁フラップ６を連接するとともにその右縁に右内側壁フラップ７を連接し、前記左外側壁フラップ２または右外側壁フラップ６の下縁に下内側壁フラップ８を連接し、底面フラップ１の下縁に下外側壁フラップ９を連接するとともにその下縁に蓋フラップ１０を連接し、さらに前記側壁フラップの相隣る側縁に係合部１１を連接したものとし、かつ前記各連接縁を折り曲げ線とした。【選択図】図１
0003131982.tif 000002
【実用新案登録請求の範囲】
【請求項１】
所定の形状を有する一枚の厚めの紙類を折り曲げ、直方体または立方体に組み立てる箱体の平板状素材において、前記一枚の厚めの紙類の形状を、底面フラップ１の左縁に左外側壁フラップ２を連接するとともにその左縁に左内側壁フラップ３を連接し、底面フラップ１の上縁に上外側壁フラップ４を連接するとともにその上縁に上内側壁フラップ５を連接し、底面フラップ１の右縁に右外側壁フラップ６を連接するとともにその右縁に右内側壁フラップ７を連接し、前記左外側壁フラップ２または右外側壁フラップ６の下縁に下内側壁フラップ８を連接し、底面フラップ１の下縁に下外側壁フラップ９を連接するとともにその下縁に蓋フラップ１０を連接し、さらに前記側壁フラップの相隣る側縁に係合部１１を連接したものとし、かつ前記各連接縁を折り曲げ線としたことを特徴とする平板状箱体素材。
【請求項２】
下内側壁フラップ８の左縁または右縁に下内内側壁フラップ１３を連接し、左、上および右外側壁フラップ２、４および６と左、上および右内側壁フラップ３、５および７との間に額縁面２Ｂ、４Ｂおよび６Ｂをそれぞれ介設し、下内側壁フラップ８と下内内側壁フラップ１３との間に額縁面８Ｂを介設するとともに、左内側壁フラップ３および右内側壁フラップ７の上縁と下縁に引掛け部３Ｃおよび７Ｃをそれぞれ連接し、上内側壁フラップ５の右縁および左縁に前記引掛け部３Ｃおよび７Ｃに対応する係止部５Ｄを設け、下内内側壁フラップ１３の上および下縁に前記引掛け部３Ｃおよび７Ｃに対応する係止部１３Ｄを設け、下外側壁フラップ９の右または左縁にロック部９Ａを連接し、左または右の下内側壁フラップ８の上縁に前記ロック部９Ａに対応する係止部８Ａを設けたことを特徴とする請求項１に記載の平板状箱体素材。
【請求項３】
下内側壁フラップ８の左縁または右縁に下内内側壁フラップ１３を連接し、左、上および右外側壁フラップ２、４および６と左、上および右内側壁フラップ３、５および７との間に額縁面２Ｂ、４Ｂおよび６Ｂをそれぞれ介設し、下内側壁フラップ８と下内内側壁フラップ１３との間に額縁面８Ｂを介設するとともに、左内側壁フラップ３の左縁、上内側壁フラップ５の上縁、右内側壁フラップ７の右縁および下内内側壁フラップ１３の左または右縁に成型時に底面フラップ１に密接する折曲げストッパー３Ｅ、５Ｅ、７Ｅおよび１３Ｅをそれぞれ連接し、下外側壁フラップ９の右または左縁にロック部９Ａを連接し、左または右の下内側壁フラップ８の上縁に前記ロック部９Ａに対応する係止部８Ａを設けたたことを特徴とする請求項１に記載の平板状箱体素材。
【考案の詳細な説明】
【技術分野】
【０００１】  本考案は、所定の形状を有する一枚の厚めの紙類を折り曲げ、直方体または立方体に組み立てる箱体の平板状素材に関する。
【背景技術】
【０００２】  従来の平板状箱体素材には、図５、図６、図７もしくは図８に示すものまたは特許文献１（実開平３−１０２４２０号公報）に示すものがあった。図５のものについて説明すると、この素材では、底面フラップ５１の４縁に外側壁フラップ５２、５４、５６、５８を連接し、その各側縁に内側壁フラップ５３、５５、５７、５９をそれぞれ連接していた。これらを折り曲げ直方体または立方体に組み立てる手順については、後述する本考案品の手順が参照されるが、内側壁フラップ５３、５５、５７、５９を内側に折り込んで４つの側壁を二重のものにしようとすると、図５（ｂ）のものを成型することはできるが、箱の蓋までをも、箱の本体を形成する一枚の素材で作ることは不可能であった。
図６のものも同様である。【０００３】  そこで、箱の蓋までをも、箱の本体を形成する一枚の素材で作れるようにした平板状素材が考え出された。それを図７に示す。このものには、前述の図５の外側壁フラップ５８に相当する７８の下縁に蓋フラップ７０が連接されている。しかし、この平板状素材によれば、前記の問題は解決されたが、図７（ｂ）に示すように、蓋フラップ７０が連接される側壁フラップ７８は一重にしかできず、その側の側壁の強度が保てなくなってしまう。
図８のものも特許文献１のものも同様である。【０００４】  前記従来の平板状箱体素材は、堅固さと緩衝性を高め見栄えを良くするため、側壁を額縁状に（すなわち、箱の開口縁に細長い幅の平面（以下「額縁面」という。）が出現するように、以下同じ。）成型したものではあるが、図５および図６のものでは蓋ができず、図７、図８および特許文献１のものでは一部の側壁が一重にしかできない。
なお、これらのものは、一枚の素材のみを用いて、換言すれば糊その他の接着手段を別途要することなく、すなわち、図５および図７のものは引掛け部５３Ｃおよび７３Ｃ等を係止部５５Ｄまたは７５Ｄ等に係止させることにより、また図６および図８のものは折り曲げストッパー６３Ｅ等および８３Ｅ等を折り曲げ、それを底面フラップ６１および８１にそれぞれ密着させることにより、箱体の堅固な成型状態が維持できるように作られている。【０００５】
【特許文献１】  実開平３−１０２４２０号公報
【考案の開示】
【考案が解決しようとする課題】
【０００６】  本考案の技術課題は、先行技術がもつ上記の諸問題を解決し、一枚の平板状素材のみによって、箱体の４つの側壁をそれぞれ二重にして側壁の強度を保つとともに、その箱の蓋までをも、本体を形成する一枚の素材で作ることができるようにし、さらには、別途の接着手段を要することなく引掛け部と係止部または折曲げストッパーによって、四囲の側壁すべてを額縁状に成型し、堅固さと緩衝性を高め見栄えの良い箱体を組み立てることのできる平板状箱体素材を得ることにある。
【課題を解決するための手段】
【０００７】  一枚の平板状素材のみによって、箱体の４つの側壁をそれぞれ二重にして側壁の強度を保つとともに、その箱の蓋までをも、本体を形成する一枚の素材で作ることができるようにした手段は次のものである。
一枚の厚めの紙類の形状を、底面フラップ１の左縁に左外側壁フラップ２を連接するとともにその左縁に左内側壁フラップ３を連接し、底面フラップ１の上縁に上外側壁フラップ４を連接するとともにその上縁に上内側壁フラップ５を連接し、底面フラップ１の右縁に右外側壁フラップ６を連接するとともにその右縁に右内側壁フラップ７を連接し、前記左外側壁フラップ２または右外側壁フラップ６の下縁に下内側壁フラップ８を連接し、底面フラップ１の下縁に下外側壁フラップ９を連接するとともにその下縁に蓋フラップ１０を連接し、さらに前記側壁フラップの相隣る側縁に係合部１１を連接したものとし、かつ前記各連接縁を折り曲げ線とした。【０００８】  前記のものにおいて、別途の接着手段を要することなく引掛け部と係止部によって、四囲の側壁すべてを額縁状に成型し、堅固さと緩衝性を高め見栄えの良い箱体を組み立てることのできるようにした手段は次のものである。
下内側壁フラップ８の左縁または右縁に下内内側壁フラップ１３を連接し、左、上および右外側壁フラップ２、４および６と左、上および右内側壁フラップ３、５および７との間に額縁面２Ｂ、４Ｂおよび６Ｂをそれぞれ介設し、下内側壁フラップ８と下内内側壁フラップ１３との間に額縁面８Ｂを介設するとともに、左内側壁フラップ３および右内側壁フラップ７の上縁と下縁に引掛け部３Ｃおよび７Ｃをそれぞれ連接し、上内側壁フラップ５の右縁および左縁に前記引掛け部３Ｃおよび７Ｃに対応する係止部５Ｄを設け、下内内側壁フラップ１３の上および下縁に前記引掛け部３Ｃおよび７Ｃに対応する係止部１３Ｄを設け、下外側壁フラップ９の右または左縁にロック部９Ａを連接し、左または右の下内側壁フラップ８の上縁に前記ロック部９Ａに対応する係止部８Ａを設けた。【０００９】  前記のものにおいて、別途の接着手段を要することなく折曲げストッパーによって、四囲の側壁すべてを額縁状に成型し、堅固さと緩衝性を高め見栄えの良い箱体を組み立てることのできるようにした手段は次のものである。
下内側壁フラップ８の左縁または右縁に下内内側壁フラップ１３を連接し、左、上および右外側壁フラップ２、４および６と左、上および右内側壁フラップ３、５および７との間に額縁面２Ｂ、４Ｂおよび６Ｂをそれぞれ介設し、下内側壁フラップ８と下内内側壁フラップ１３との間に額縁面８Ｂを介設するとともに、左内側壁フラップ３の左縁、上内側壁フラップ５の上縁、右内側壁フラップ７の右縁および下内内側壁フラップ１３の左または右縁に成型時に底面フラップ１に密接する折曲げストッパー３Ｅ、５Ｅ、７Ｅおよび１３Ｅをそれぞれ連接し、下外側壁フラップ９の右または左縁にロック部９Ａを連接し、左または右の下内側壁フラップ８の上縁に前記ロック部９Ａに対応する係止部８Ａを設けた。
【考案の効果】
【００１０】  請求項１に記載した本考案によれば、底面フラップ１の左、上、右の縁に接続する側壁は、図５または図６に示す従来例と同様に内、外の二重の側壁フラップで形成することができ、底面フラップ１の下の縁に接続する側壁も、蓋フラップ１０が連接されている下外側壁フラップ９とその内側の下内側壁フラップ８とで構成することができるため、この側壁の強度をも十分に確保することが可能となった。しかも、これらの蓋付の箱体が、一枚の厚めの紙類を所定の形状に裁断するだけでできる。【００１１】  請求項２に記載した本考案によれば、上述のものにあって、後述する手順にしたがって組み立てると、四囲の側壁に額縁面２Ｂ、４Ｂ、６Ｂおよび８Ｂが現れ、その組み立ての最終工程において、引掛け部３Ｃおよび７Ｃをそれらに対応する係止部５Ｄおよび１３Ｄに係止させ、ロック部９Ａを係止部８Ａに係止させれば、別途の接着手段を要することなく、四囲の側壁すべてを額縁状にした堅固で緩衝性を高めた見栄えの良い箱体を組み立てることができる。【００１２】  請求項３に記載した本考案によれば、上述のものにあって、後述する手順にしたがって組み立てると、四囲の側壁に額縁面２Ｂ、４Ｂ、６Ｂおよび８Ｂが現れ、その組み立ての最終工程において、折曲げストッパー３Ｅ、５Ｅ、７Ｅおよび１３Ｅを底面フラップ１に密接するように折り曲げれば、別途の接着手段を要することなく、四囲の側壁すべてを額縁状にした堅固で緩衝性を高めた見栄えの良い箱体を組み立てることができる。
【考案を実施するための最良の形態】
【００１３】  一枚の厚めの紙類の形状を、底面フラップ１の左縁に左外側壁フラップ２を連接するとともにその左縁に左内側壁フラップ３を連接し、底面フラップ１の上縁に上外側壁フラップ４を連接するとともにその上縁に上内側壁フラップ５を連接し、底面フラップ１の右縁に右外側壁フラップ６を連接するとともにその右縁に右内側壁フラップ７を連接し、前記左外側壁フラップ２または右外側壁フラップ６の下縁に下内側壁フラップ８を連接し、底面フラップ１の下縁に下外側壁フラップ９を連接するとともにその下縁に蓋フラップ１０を連接し、さらに前記側壁フラップの相隣る側縁に係合部１１を連接したものとし、かつ前記各連接縁を折り曲げ線とする。
【実施例】
【００１４】  添付図面を参照しながら、本考案の実施例を説明する。
図１から図４は本考案の実施例であり、図５から図８は従来の平板状箱体素材の概念図である。
図１は請求項１または請求項２の考案の実施例であり、図１（ａ）はその平板状箱体素材の平面図、（ｂ）はそれを用いて組み立てた箱体の斜視図。図２および図３は、図１の実施例を折り曲げ組み立てて箱体を成型する手順の一例で、箱体が図２（ａ）、（ｂ）、（ｃ）、図３（ｄ）、（ｅ）、（ｆ）の順に組み立てられる状態を示した斜視図である。図４は請求項１または請求項３の考案の実施例であり、図４（ａ）はその平板状箱体素材の平面図、（ｂ）はそれを用いて組み立てた箱体の斜視図である。【００１５】  図５および図７は、引掛け部とそれに対応する係止部を備えた従来の平板状箱体素材の概念図であり、（ａ）はその平板状箱体素材の平面図、（ｂ）はそれを用いて組み立てた箱体の斜視図である。
図６および図８は、折曲げストッパーを備えた従来の平板状箱体素材の概念図であり、（ａ）はその平板状箱体素材の平面図、（ｂ）はそれを用いて組み立てた箱体の斜視図である。【００１６】  本考案における厚めの紙類としては、厚紙、段ボール紙または平板状の合成樹脂材などが、成型される箱体の用途や出来栄え等を考慮して選ばれる。その所定の形状は、箱体の組み立て易さ、成型後の箱体の堅固さ、緩衝性、見栄え等を考慮して定められなければならない。
図１に示す平板状箱体素材を用いて額縁状の四壁から成る箱体を組み立てるときの手順について、次に説明する。ここでは、理解をし易くするため部分名称を省略し符号のみを用いて説明する。【００１７】  まず、図２（ａ）に示すとおり、５を内方に折曲し４に重ね、両者を垂直に立てるとともに１３を内方に折曲し８に重ねる。ついで、図２（ｂ）に示すとおり、一方の１１（（ａ）を参照。）を直角に内方に折り曲げ、２と８および１３とを垂直に立てる。３（（ａ）を参照。）を内方に折曲げて１１を包み込むようにする。一方の３Ｃ（（ａ）を参照。）をそれに対応する５Ｄ（図１を参照。）に係止する。そして、図２（ｃ）に示すとおり、８（（ｂ）を参照。）および１３を内方に回転させ、他方の３Ｃ（図１を参照。）をそれに対応する１３Ｄ（図１を参照。）に係止する。【００１８】  その後、図３（ｄ）に示すとおり、９を垂直に立て、１３および８の側壁に添わせる。１３に連接された１１と９に連接された１１とを直角に内方に折り曲げるとともに、５に連接された１１と４に連接された１１とを直角に内方に折り曲げる。６を垂直に立て７を内方に折り曲げ前記の１１を包み込むようにする。そして、図３（ｅ）に示すとおり、７Ｃをそれに対応する５Ｄと１３Ｄにそれぞれ係止する。最後に常法に従い、図３（ｆ）に示すとおり、１０で箱の本体を覆うようにし、１２等を用い１０を閉鎖状態に保つ。【００１９】  図４に示す平板状箱体素材を用いて額縁状の四壁から成る箱体もほぼ同様の手順に従い組み立てることができるのでその詳細は省略する。
図４のものは図１の引掛け部とそれに対応する係止部がなく、その代わりに折曲げストッパーがある。したがって、箱体の組み立ては、引掛け部を係止部に係止する工程に代えて、折曲げストッパーを底面フラップに密接させることによって行う。【００２０】  係合部１１は、各図において四角形状のものを示したがこれに限られるものではない。側壁同志を堅固に連結できるものでありさえすれば足りる。また、連接縁については、素材が折り曲げ難い材質のものであるときは、そこに浅い切り込み溝等を入れれば組み立ておよび成型が容易になる。【００２１】  図１ないし図４の蓋フラップ１０には、折り込み片１２が連接されているが、これらは適宜必要に応じて設ければよい。
また、額縁面の形成を要件としていない請求項１のものにあっては、外側壁フラップと内側壁フラップとを接着しさらに強度を高めることもできる。さらに引掛け部と係止部または折曲げフラッパーを省略し、係合部を相隣る側壁フラップに接着し堅固な箱体を組み立てることもできる。
【図面の簡単な説明】
【００２２】
【図１】は請求項１または請求項２の考案の実施例であり、（ａ）はその平板状箱体素材の平面図、（ｂ）はそれを用いて組み立てた箱体の斜視図である。
【図２】は請求項１または請求項２の実施例を折り曲げ組み立てて箱体を成型する前半の手順の一例で、箱体が（ａ）、（ｂ）、（ｃ）の順に組み立てられる状態を示した斜視図である。
【図３】は請求項１または請求項２の実施例を折り曲げ組み立てて箱体を成型する後半の手順の一例で、箱体が（ｄ）、（ｅ）、（ｆ）の順に組み立てられる状態を示した斜視図である。
【図４】は請求項１または請求項３の考案の実施例であり、図４（ａ）はその平板状箱体素材の平面図、（ｂ）はそれを用いて組み立てた箱体の斜視図である。
【図５】は引掛け部とそれに対応する係止部を備えた従来の平板状箱体素材の概念図であり、（ａ）はその平板状箱体素材の平面図、（ｂ）はそれを用いて組み立てた箱体の斜視図である。
【図６】は折曲げストッパーを備えた従来の平板状箱体素材の概念図であり、（ａ）はその平板状箱体素材の平面図、（ｂ）はそれを用いて組み立てた箱体の斜視図である。
【図７】は引掛け部とそれに対応する係止部を備えた従来の他の平板状箱体素材の概念図であり、（ａ）はその平板状箱体素材の平面図、（ｂ）はそれを用いて組み立てた箱体の斜視図である。
【図８】は折曲げストッパーを備えた従来の他の平板状箱体素材の概念図であり、（ａ）はその平板状箱体素材の平面図、（ｂ）はそれを用いて組み立てた箱体の斜視図である。
【符号の説明】
【００２３】１    底面フラップ
２    左外側壁フラップ
３    左内側壁フラップ
４    上外側壁フラップ
５    上内側壁フラップ
６    右外側壁フラップ
７    右内側壁フラップ
８    下内側壁フラップ
９    下外側壁フラップ
１０  蓋フラップ
１１  係合部
３Ｃ、７Ｃ                引掛け部
５Ｄ、１３Ｄ、８Ａ        係止部
９Ａ                      ロック部
３Ｅ、５Ｅ、７Ｅ、１３Ｅ  折曲げストッパー
【図１】
0003131982.tif 000003
【図２】
0003131982.tif 000004
【図３】
0003131982.tif 000005
【図４】
0003131982.tif 000006
【図５】
0003131982.tif 000007
【図６】
0003131982.tif 000008
【図７】
0003131982.tif 000009
【図８】
0003131982.tif 000010